(57)【要約】【課題】  打球をする様々なスポーツで使用する棒状のクラブやバットなどのスポーツ用打球具構造を提供する。【解決手段】  スポーツ用打球具２０のコア層２１は、複数枚の竹板片２１１１を高密度に接着剤で緊縛させて構成した、短尺のあるいは長尺の角材状に形成した中央部芯要素２１１を、多数個、それぞれ、縦、横に貼り合せ方向を逆にして隣接配置させ碁盤の目状に構成する。このような構成により、コア層には高粘弾性が備わり、高密度で緊縛されるので、外部から行使された力を均等にその上に受けることができ、この力学的効果を利用して、打撃時に発生した振動を吸収して、耐振動能力を強化するように変形することで、最高の使用状態を提供する。【選択図】    図３
0003122272.tif 000002
【実用新案登録請求の範囲】
【請求項１】
打球を伴うスポーツで使用される棒状のクラブやバットなどのスポーツ用の打球具構造において、
前記打球具の中心に配置されたコア層は、複数枚の竹板片を高密度に接着剤で緊縛させて構成した短尺或いは長尺の角材により形成した中央部芯要素を、多数個それぞれ縦，横に貼り合せ方向を逆にして隣接配置させて、碁盤の目状に構成してなり、このように構成したことで高粘弾性が生じ高密度に緊縛された前記コア層を介し、外部から作用力を均等に受けることができ、この力学的効果を利用して、打撃時に発生した振動を吸収して、耐振動能力へ変換し、最高の使用状態を提供できるようにしたことを特徴とするスポーツ用の打球具構造。
【請求項２】
前記スポーツ用の打球具のコア層は、ビリヤードのキューとして使用できるように製造したことを特徴とする請求項１記載のスポーツ用の打球具構造。
【請求項３】
前記スポーツ用の打球具のコア層は、その上に、外部から力が行使されるようになる被覆層が重ね合わされ結合され、更に、グリップ部とヒッティング部とを備えた、野球バットやクロケット・マットへ成型加工されることを特徴とする請求項１記載のスポーツ用の打球具構造。
【請求項４】
前記外部から力を行使される要素は、それぞれ、多数の竹板片を互いに接着剤で貼り合わせて矩形の角材状にしたものであり、前記矩形の角材は、互いに互い違いにして隣接配置されて碁盤の目に配列されていることを特徴とする請求項３記載のスポーツ用の打球具構造。
【請求項５】
コア層を形成する中央部芯要素は、縦方向，横方向にその数を増やして配設し、互いに接着剤で貼り合わせて、それぞれの前記新要素を互いに対して互い違いに配置して碁盤の目配列にしたことを特徴とする請求項１記載のスポーツ用の打球具構造。
【請求項６】
前記スポーツ用の打球具は、使用時にそれぞれ異なる重量基準要求に対応するように柔軟に形成できるようにし、軽量化に対する要求があった場合には、打球具の一端部に重量軽減用凹部を配設することを特徴とする請求項３記載のスポーツ用の打球具構造。
【請求項７】
コア層の真中部分に配置された芯要素は、多数枚の竹板片を水平に平行に重ね並べて互いに接着剤で貼り合わせて長尺の矩形角材にしたもので構成され、コア層の両側部分に配置された芯要素は、多数枚の竹板片を垂直に並べて配置し互いに接着剤で貼り合わせて短尺の矩形角材としたもので構成され、短尺の矩形角材と長尺の矩形角材とを垂直に配設し互いに貼り合わせてコア層を構成したことを特徴とする請求項１記載のスポーツ用の打球具構造。
【請求項８】
コア層を形成する中央部芯要素は、多数枚の竹板片を垂直に並べ合わせて短尺の矩形角材したものと、水平に並べ合わせて短尺の矩形角材にしたものとで構成され、前記異なる角材同士を互いに隣接させ、碁盤の目状に配設して互いに接着剤で貼り合わせてコア層を構成したことを特徴とする請求項１記載のスポーツ用の打球具構造。
【考案の詳細な説明】
【技術分野】
【０００１】
本考案は、種々のスポーツに使用する打球具に関し、更に具体的に言うと、野球のバットや、ビリヤードのキュー、クリケットのマレットといった、打球をする様々なスポーツで使用する棒状の打球具構造に関する。
【背景技術】
【０００２】
図１は、従来のスポーツ用の打球具の斜視図である。
図１からわかるように、従来のスポーツ用の打球具（野球バット）１０は、コア層１１および被覆層１２から構成されている。
従来のスポーツ用の打球具のコア層１１は、図２に示すように、複数本の竹板片１１１’を垂直に配置して、互いに組みせて貼り合わせた構造であり、被覆層１２は、複数の竹板片１２１を互いに貼り合わせで角材形状にしたもので構成される。
そして、この貼り合わせて角材状態に組立てられた被覆層１２をコア層１１に取り付けてから、更に、この例で言えば、打撃部やグリップ部などを備えた野球バットの形に製造加工する。
【０００３】
しかしながら、このような従来のスポーツ用の打球具構造には幾つかの欠点がある。
第１に、コア層１１は、その材料が貼り合わされている方向が単一方向のみの構造なので、バッターが打席に立って最高の成果を得るためには、ボールを当てるバット位置に細心の注意を払わなければならず、このため、バッターがバットの保持位置状態に気を取られて、ピッチャーが投げたボールに集中できず、その結果、バッターの望むところへ打ち返えすことができないということに勝ちである。
第２に、コア層１１はボールが当たった時の衝撃で加わる更なる力を効果的に負担することができず、これ故に、振動に対する抵抗が弱く、これが、使用時に、バッターにダメージを与えたり、野球バットのグリップ部分が簡単に折れてしまったりする原因となる。
【考案の開示】
【考案が解決しようとする課題】
【０００４】
本考案は、従来技術の欠点を改善して、打球を伴うスポーツで使用される棒状のクラブやバットなどの打球具構造において、コア層は、複数枚の竹板片を高密度に接着剤で緊縛させて構成した角材に形成した中央部芯要素を、多数個、それぞれ、縦、横に貼り合せ方向を逆にして隣接配置させ碁盤の目状に構成することで、打球具が高粘弾性を有することで、外部から受ける衝撃力を均等にその上面に作用させることができ、この力学的効果を利用して、ボールがスポーツ用の打球具のどの面に当たっても効果的に飛球可能とし、且つ打撃時に発生した振動を吸収して、耐振動能力を強化するように変形し、打者を保護することのできるようにしたスポーツ用の打球具を提供することを目的とする。
【０００５】
本考案の第２の目的は、高粘弾性があり、外部からの作用力を均等にその上面に受けることができという力学的効果を利用して、打撃時に力が加わわった時に優れた抵抗力を有するようにしたグリップ部を提供し、これにより、バットが折れたりするような危険性を回避することができ、最高の使用状態を達成することのできるスポーツ用の打球具を提供することを目的とする。
【課題を解決するための手段】
【０００６】
請求項１の考案は、打球を伴うスポーツで使用される棒状のクラブやバットなどのスポーツ用の打球具構造において、前記打球具の中心に配置されたコア層は、複数枚の竹板片を高密度に接着剤で緊縛させて構成した短尺或いは長尺の角材により形成した中央部芯要素を、多数個それぞれ縦，横に貼り合せ方向を逆にして隣接配置させて、碁盤の目状に構成してなり、このように構成したことで高粘弾性が生じ高密度に緊縛された前記コア層を介し、外部から作用力を均等に受けることができ、この力学的効果を利用して、打撃時に発生した振動を吸収して、耐振動能力へ変換し、最高の使用状態を提供できるようにしたことを特徴とする。
請求項２の考案は、請求項１記載のスポーツ用の打球具構造において、前記スポーツ用の打球具のコア層は、ビリヤードのキューとして使用できるように製造したことを特徴とする。
請求項３の考案は、請求項１記載のスポーツ用の打球具構造において、前記スポーツ用の打球具のコア層は、その上に、外部から力が行使されるようになる被覆層が重ね合わされ結合され、更に、グリップ部とヒッティング部とを備えた、野球バットやクロケット・マットへ成型加工されることを特徴とする。
請求項４の考案は、請求項３記載のスポーツ用の打球具構造において、前記外部から力を行使される要素は、それぞれ、多数の竹板片を互いに接着剤で貼り合わせて矩形の角材状にしたものであり、前記矩形の角材は、互いに互い違いにして隣接配置されて碁盤の目に配列されていることを特徴とする。
請求項５の考案は、請求項１記載のスポーツ用の打球具構造において、コア層を形成する中央部芯要素は、縦方向，横方向にその数を増やして配設し、互いに接着剤で貼り合わせて、それぞれの前記新要素を互いに対して互い違いに配置して碁盤の目配列にしたことを特徴とする。
請求項６の考案は、請求項３記載のスポーツ用の打球具構造において、前記スポーツ用の打球具は、使用時にそれぞれ異なる重量基準要求に対応するように柔軟に形成できるようにし、軽量化に対する要求があった場合には、打球具の一端部に重量軽減用凹部を配設することを特徴とする。
請求項７の考案は、請求項１記載のスポーツ用の打球具構造において、コア層の真中部分に配置された芯要素は、多数枚の竹板片を水平に平行に重ね並べて互いに接着剤で貼り合わせて長尺の矩形角材にしたもので構成され、コア層の両側部分に配置された芯要素は、多数枚の竹板片を垂直に並べて配置し互いに接着剤で貼り合わせて短尺の矩形角材としたもので構成され、短尺の矩形角材と長尺の矩形角材とを垂直に配設し互いに貼り合わせてコア層を構成したことを特徴とする。
請求項８の考案は、請求項１記載のスポーツ用の打球具構造において、コア層を形成する中央部芯要素は、多数枚の竹板片を垂直に並べ合わせて短尺の矩形角材したものと、水平に並べ合わせて短尺の矩形角材にしたものとで構成され、前記異なる角材同士を互いに隣接させ、碁盤の目状に配設して互いに接着剤で貼り合わせてコア層を構成したことを特徴とする。
【考案の効果】
【０００７】
本考案のスポーツ用の打球具の構成においては、その中心部のコア層を、竹板片を複数枚重ね合わせて接着剤で緊縛して角材状に形成した中心部芯要素を多数本使用して構成し、これら多数の中心部芯要素の配列を碁盤の目状にすることにより、バット本体に高い粘弾性が生まれ、外部から力が加わって衝撃が起きて振動してもこの振動が効果的に吸収され、これが耐振動能力へと変換されるので、バットの質が向上し、打球を望む方向へ飛ばしやすくなると共に、打撃時に加わる振動による打者へのダメージを回避できるので、打球をコントロールし易い良好なバッティング部が提供でき、打者の身体にもやさしく安全である。
また、スポーツ用の打球具に粘弾性を持たせ、外部からの力で発生した振動を耐振動能力に変換できるという力学的効果を利用することで、打球具への衝撃を緩衝し、打撃時にバットが折れてしまうような危険性を排除することができる。
【考案を実施するための最良の形態】
【０００８】
以下、添付図面を参照して本考案の好適な実施の形態を詳細に説明する。
図３は、本考案の一実施例の野球のバットに用いたスポーツ用打球具の完成品の一部省略斜視図で、図４は本考案のスポーツ用打球具の横断面図で１番目のコア層配列を示しており、図５は２番目のコア層配列を示す横断面図、図６は本考案のスポーツ用打球具の縦断面図、図７は本考案のスポーツ用打球具の重量を軽減するために打球具の先端部に重量軽減用凹部を形成した場合の実施の形態の縦断面図、図８は３番目のコア層配列の横断面図、図９は４番目のコア層配列の横断面図、図１０は５番目のコア層配列の横断面図、図１１は６番目のコア層配列の横断面図であり、図１２はビリヤードのキューに使用した本考案の他の実施形態のスポーツ用打球具の一部破断省略斜視図、図１３はクロケットのマレットに使用した本考案のさらに別の実施の形態のスポーツ用打球具の一部省略斜視図、そして図１４は別のマレットの例の一部省略斜視図である。
【実施例】
【０００９】
図３は、本考案のスポーツ用打球具を野球バットに用いた実施例を示す一部省略斜視図であり、図４は図３の野球バットの横断面図である。
本考案のスポーツ用打球具２０は、野球バット２０１の他にも、図１２に示すビリヤードのキュー２０２、図１３及び図１４に示すようなクリケットのマレット２０３など、種々のスポートに使用され得ることは承知されたい。
【００１０】
本考案の棒状のスポーツ用打球具２０において、そのコア層２１は、中央部芯要素２１１を、多数個、それぞれ貼り合せ、縦列，横列方向を変えて互い違いに隣接配置させ碁盤の目状に配置構成したものである。
【００１１】
更に、図５にあるように、本考案のスポーツ用打球具のコア層２１では、縦列と横列の芯要素２１１の数を増やすこともでき、上述したように、中央部芯要素２１１は碁盤の目状に互い違いに隣接配置され接着され、コア層２１が構成される。
また、中央部芯要素２１１は、竹板片２１１１を複数枚、接着剤で高密度に緊縛させて角材に構成したものである。
【００１２】
更に、本考案のスポーツ用打球具のコア層２１は、例えば、図１２に示すようなビリヤードのキュー２０２であるとか、図１３に示すようなクリケットのマレット２０３に使用するためのコア・スティックへ製造加工することもできる。そして、コア・スティックにはその周面に適切な保護鞘層が設けられ、その力学的効果を介して、良好なヒッティング部２３が形成され、そこに配置されたグリップ部２４の安定性を保持することができるようになっている。
【００１３】
外力が作用する領域層２２１を、竹板片２２１１を多数枚接着して形成し、図６にあるように、この領域層２２１をコア層２１の周面へ縦方向に接着して、これによりコア層２１の上に被覆層２２を形成する。
そして、この形に作ったコア層２１と被覆層２２とから成るスポーツ用打球具２０を更に加工して、ヒッティング部２３やグリップ部２４を備えた、野球バット２０１や、あるいはクリケット・マレット２０３などに製造する。
【００１４】
本考案のスポーツ用打球具の縦断面図を示す図６からよく判るように、スポーツ用打球具２０では、グリップ部２４はコア層２１構造で構成され、スポーツ用打球具２０の他の部分は、コア層２１の上に接着剤で貼られた被覆層２２で構成されている。
【００１５】
従って、スポーツ用打球具２０は、ボールをコントロールし易い良好なヒッティング部を提供することができると共に、力学的効果を利用して外部から行使された力を変形して、スポーツ用打球具２０強度を更に高めるように、それによりグリップ部２４の安定性を保持することができるようになる。
【００１６】
更に、本考案の野球バット２０１は、様々に異なる重量基準要請に対しても対応できるように、柔軟に製造することができ、例えば、図７の縦断面図に示すように、重量軽減の要求に対応する場合には、スポーツ用打球具２０の先端部に重量削減を図る凹部２５を設けて、使用時に要求される基準値に合致するように形成することもできる。
【００１７】
図８の横断面図には、本考案のスポーツ用打球具の３種類目のコア層配列が示されている。このスポーツ用打球具３０のコア層３１は、複数個の中央部芯要素３１１，３１１’で構成される。
【００１８】
コア層の中央に配置された芯要素３１１は、竹板片３１１１を多数枚水平に平行して縦に重ねて並べて、接着剤で貼り合わせて、長尺の矩形の棒状角材に構成されたものであり、中央部分の芯要素３１１を挟んでその両側に対称に中央部芯要素３１１’，３１１’が配置される。
また、個々の中央部芯要素３１１’は、多数枚の竹板片３１１１’をそれぞれ垂直に平行に並べて配置し、接着剤で貼りあわせて、短尺の棒状角材に形成されたものである。
【００１９】
短尺の角材の芯要素３１１’は事前に竹板片３１１１’を互いに接着剤で平行に張り合わせて角材状に形成した後で垂直方向に互いに重ね合わせてから、コア層の中央に配置される長尺の角材の芯要素３１１と貼り合わせて、コア層３１を形成する。
【００２０】
また、図９に横断面図に示す本考案のスポーツ用打球具のコア層３１の４番目の配列では、コア層３１の中央部芯要素３１１，３１１’を、組立製造する際に、図８にある中央部芯要素３１１，３１１’の縦，横の配列を９０°時計廻り或いは反時計廻りに回転させたもので、このようにコア層の配列を変えることもできる。
【００２１】
図１０の横断面図には、本考案のスポーツ用打球具の５種類目のコア層配列が示されている。スポーツ用打球具４０のコア層４１は、複数個の中心部芯要素４１１および４１１’で構成されている。
中心部芯要素４１１は、複数個の竹板片４１１１を縦にして垂直に立てて互いに接着剤で貼り合わせた短尺の矩形の角材に構成したものであり、中心部芯要素４１１’は、複数個の竹板片４１１１’を横にして平行に重ね合わせて互いに接着剤で貼り合わせた短尺の矩形の角材に構成したである。
これらそれぞれの短尺の矩形角材からなる中央部芯要素４１１，４１１’を互いに隣接し合うように相互に貼り合わせて、碁盤の目の配列を形成する。
【００２２】
更に、図１０で示した中央部芯要素４１１，４１１’の配列の他にも、図１１の６番目のコア層配列の横断面図に示すように、コア層４１構造全体を９０°回転させて、中央部芯要素４１１，４１１’の縦，横の配列を変えるようにすることもできる。
【００２３】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２４】
【図１】従来のスポーツ用打球具構造の斜視図。
【図２】従来のスポーツ用打球具構造の横断面図。
【図３】本考案の一実施の形態の野球のバットに用いたスポーツ用打球具の完成品の一部省略斜視図。
【図４】図３のスポーツ用打球具の横断面図で１番目のコア層配列を示す。
【図５】本考案のスポーツ用打球具の２番目のコア層配列を示す横断面図。
【図６】本考案のスポーツ用打球具の縦断面図。
【図７】本考案のスポーツ用打球具の重量を軽減するために打球具先端部に重量軽減用凹部を形成した場合の実施の形態の縦断面図。
【図８】本考案のスポーツ用打球具の３番目のコア層配列の横断面図。
【図９】本考案のスポーツ用打球具の４番目のコア層配列の横断面図。
【図１０】本考案のスポーツ用打球具は５番目のコア層配列の横断面図
【図１１】本考案のスポーツ用打球具の６番目のコア層配列の横断面図。
【図１２】ビリヤードのキューに使用した本考案の他の実施形態のスポーツ用打球具の一部破断省略斜視図。
【図１３】クロケットのマレットに使用した本考案のさらに別の実施の形態のスポーツ用打球具の一部省略斜視図
【図１４】別のマレットの例の一部省略斜視図である。
【符号の説明】
【００２５】
２０        スポーツ用打球具
２０１      野球バット
２１        コア層
２１１      中央部芯要素
２２        被覆層
２３        ヒッティング部
２４        グリップ部
２５        凹部
２２１      領域層
２２１１    竹板片
【図１】
0003122272.tif 000003
【図２】
0003122272.tif 000004
【図３】
0003122272.tif 000005
【図４】
0003122272.tif 000006
【図５】
0003122272.tif 000007
【図６】
0003122272.tif 000008
【図７】
0003122272.tif 000009
【図８】
0003122272.tif 000010
【図９】
0003122272.tif 000011
【図１０】
0003122272.tif 000012
【図１１】
0003122272.tif 000013
【図１２】
0003122272.tif 000014
【図１３】
0003122272.tif 000015
【図１４】
0003122272.tif 000016